(57)【要約】【課題】連続した複数ヵ月分の暦を、常に横並びに表示させることができ、記入作業を極めて容易に行うことができるカレンダーを提供する。【解決手段】複数枚の紙葉２を上辺において綴じてなるカレンダー１であって、上辺にはヘッダ３が装着され、各紙葉２には、それぞれ三ヶ月分の暦が表示され、ヘッダ３の下縁３ａに沿って第一のミシン目５ａが形成されるとともに、第一のミシン目５ａから紙葉２の下縁まで延在する第二のミシン目５ｂ、第三のミシン目５ｃが形成され、各紙葉２における暦の表示部分を、本体から切り離すことができるほか、各紙葉２における暦の表示部分を、横方向へ三分割できるように構成した。【選択図】図１
0003177577.tif 000002
【実用新案登録請求の範囲】
【請求項１】
複数枚の紙葉を上辺において綴じてなるカレンダーであって、
綴じられた紙葉の上辺にはヘッダが装着され、
各紙葉には、それぞれ二ヶ月分、又は、三ヶ月分、又は、四ヶ月分の暦が表示され、
各紙葉には、ヘッダの下縁に沿って横向きのミシン目が形成されるとともに、当該横向きのミシン目から紙葉の下縁まで延在する１〜３本の縦向きのミシン目が形成され、各紙葉における暦の表示部分を、本体から切り離すことができるほか、各紙葉における暦の表示部分を、横方向へ二〜四分割できるように構成され、
各紙葉における縦向きのミシン目によって仕切られる縦長の複数の領域に、数ヶ月分の暦がそれぞれ一ヶ月分ずつ順番に並ぶように表示されていることを特徴とするカレンダー。
【請求項２】
各紙葉の各領域に表示されている各月の暦は、日付を表す数字が縦方向へ一列に並ぶように構成され、各日付の右側に予定欄がそれぞれ配置され、各月における同一の日付の欄が、同じ高さとなるように配置されていることを特徴とする、請求項１に記載のカレンダー。
【請求項３】
横向きのミシン目からカレンダーの下縁までの寸法をｈとしたとき、横向きのミシン目から上方へ０．２５ｈ以上離れた位置に吊支点が設定されるように、吊下手段が構成されていることを特徴とする、請求項１又は請求項２に記載のカレンダー。
【考案の詳細な説明】
【技術分野】
【０００１】
本考案は、複数月の暦を同時に表示できるようにした壁掛けタイプのカレンダーに関し、特に、各頁を月毎に段階的に切り離すことができるように構成したカレンダーに関する。
【背景技術】
【０００２】
従来より、複数月の暦を同時に表示できるように構成したカレンダーとして、図４に示すようなものが知られている。このカレンダー１１は、複数枚の紙葉１２を上辺において綴じてなるものであり、綴じられた紙葉１２の上辺には、ヘッダ１３が装着されている。また、ヘッダ１３の中央部には、吊り下げ用の係止穴１７が形成されている。
【０００３】
各紙葉１２には、それぞれ三ヶ月分の暦が表示されている。より詳細には、第一頁の紙葉１２には、１月から３月までの暦が表示され（図４参照）、第二頁の紙葉には４月から６月までの暦が、第三頁の紙葉には７月から９月までの暦が、第四頁の紙葉には１０月から１２月までの暦が、それぞれ表示されている（図示せず）。
【０００４】
また、各紙葉１２には、三本のミシン目１５（第一のミシン目１５ａ、第二のミシン目１５ｂ、及び、第三のミシン目１５ｃ）がそれぞれ形成されている。これらのうち、第一のミシン目１５ａは、ヘッダ１３の下縁１３ａに沿って横向きに形成されており、各紙葉１２における暦の表示部分を、本体から切り離すことができるようになっている。
【０００５】
第二のミシン目１５ｂ、及び、第三のミシン目１５ｃは、第一のミシン目１５ａと平行に、横向きに形成され、各紙葉１２における暦の表示部分（第一のミシン目１５ａよりも下方の部分）を、縦方向へ三分割できるようになっている。
【０００６】
また、各紙葉１２に表示される三ヶ月分の暦は、第二のミシン目１５ｂ及び第三のミシン目１５ｃによって仕切られる三つの領域に、それぞれ一ヶ月分ずつ順番に並ぶように配置されている。より詳細には、図４に示すように、綴じられた紙葉１２のうち、第一頁（最も手前側に表示されている紙葉）においては、第三のミシン目１５ｃの下側の領域に１月の暦が表示され、第二のミシン目１５ｂと第三のミシン目１５ｃとの間の領域に２月の暦が表示され、第二のミシン目１５ｂの上側の領域に３月の暦が表示されている。
【考案の概要】
【考案が解決しようとする課題】
【０００７】
図４のカレンダー１１は、１月の時点においては、図４に示すように、１月〜３月が印刷されている第一頁の紙葉１２を表示させ、１月が終了して２月に入ったら、第三のミシン目１５ｃに沿って、１月の暦が印刷されている部分を第一頁の紙葉１２から切り離す。そうすると、第二頁の紙葉（図示せず）の下側の領域に印刷されている４月の暦が露呈し、第一頁の紙葉１２に印刷されている２月及び３月の暦と並び、２月から４月までの三ヶ月分の暦が表示されることになる。
【０００８】
このカレンダー１１は、月の進行に合わせ、終了した月の暦が表示されている部分をミシン目１５に沿って切り離していくことにより、連続した三ヶ月分の暦を常に表示させることができるが、各紙葉１２が上辺において綴じられているため、各紙葉１２に表示される三ヶ月分の暦のうち、最後の月の暦を最上段に配置し、最初の月の暦を最下段に配置する必要があり、使用者において違和感を生じさせてしまうという問題がある。
【０００９】
また、図４のカレンダー１１においては、曜日の列毎に日付が配置されているため、月毎の同一の日付に実行されるべき予定を記入するような場合において、予定を記入すべき日付の欄を月毎に探さなければならず、煩雑であるという問題があるほか、月がかわり、新しい暦を表示させたときに、記入漏れの問題が生じやすいという問題がある。
【００１０】
本考案は、上記のような従来の問題を解決すべくなされたものであって、連続した複数ヵ月分の暦を、常に横並びに表示させることができ、記入作業を極めて容易に行うことができ、非常に実用性の高いカレンダーを提供することを目的とする。
【課題を解決するための手段】
【００１１】
本考案に係るカレンダーは、複数枚の紙葉を上辺において綴じてなるものであり、綴じられた紙葉の上辺にはヘッダが装着され、各紙葉には、それぞれ二ヶ月分、又は、三ヶ月分、又は、四ヶ月分の暦が表示され、各紙葉には、ヘッダの下縁に沿って横向きのミシン目（第一のミシン目）が形成されるとともに、当該横向きのミシン目から紙葉の下縁まで延在する１〜３本の縦向きのミシン目（第二〜四のミシン目）が形成され、各紙葉における暦の表示部分を、本体から切り離すことができるほか、各紙葉における暦の表示部分を、横方向へ二〜四分割できるように構成され、各紙葉における縦向きのミシン目によって仕切られる縦長の複数の領域に、数ヶ月分の暦がそれぞれ一ヶ月分ずつ順番に並ぶように表示されていることを特徴としている。
【００１２】
尚、各紙葉の各領域に表示されている各月の暦は、日付を表す数字が縦方向へ一列に並ぶように構成され、各日付の右側に予定欄がそれぞれ配置され、各月における同一の日付の欄が、同じ高さとなるように配置されていることが好ましい。また、横向きのミシン目からカレンダーの下縁までの寸法をｈとしたとき、横向きのミシン目から上方へ０．２５ｈ以上離れた位置に吊支点が設定されるように、吊下手段（紐、或いは、フラップ等）が構成されていることが好ましい。
【考案の効果】
【００１３】
本考案に係るカレンダーは、月の進行に合わせ、終了した月の暦が表示されている部分をミシン目に沿って切り離していくことにより、連続した三ヶ月分の暦を常に横並びに表示させることができる。
【００１４】
また、各紙葉に表示される複数ヶ月分の暦において、各月の同一の日付の欄を同じ高さとなるように配置した場合には、月毎の同一の日付に実行されるべき予定を記入するような場合において、予定を記入すべき日付の欄を月毎に探す必要がなく、記入作業を極めて容易に行うことができ、更に、月がかわり、新しい暦を表示させたときに、隣に表示されている前月及び前々月の暦の予定欄の記入内容を参照しながら、新しい暦の予定欄への記入を行うことにより、記入漏れの問題を可及的に回避することができる。
【００１５】
また、吊支点が十分に高い位置に設定されるように吊下手段を構成した場合には、傾きの問題を好適に回避することができる。
【図面の簡単な説明】
【００１６】
【図１】図１は、本考案に係るカレンダー１の正面図である。
【図２】図２は、本考案に係るカレンダー１の正面図であって、紙葉２の第一頁の左側領域を、ミシン目に沿って切り離した状態を示す図である。
【図３】図３は、本考案に係るカレンダー１の他の構成例を示す図である。
【図４】図４は、従来のカレンダー１１の一例を示す図である。
【考案を実施するための形態】
【００１７】
以下、添付図面に沿って、本考案に係るカレンダー１の実施形態について説明する。図１は、本考案に係るカレンダー１の正面図である。本実施形態のカレンダー１は、複数枚の紙葉２を上辺において綴じてなるものであり、綴じられた紙葉２の上辺には、ヘッダ３が装着されている。また、ヘッダ３には、吊り下げ用の紐４（吊下手段）が取り付けられている。
【００１８】
各紙葉２には、それぞれ三ヶ月分の暦が表示されている。より詳細には、第一頁の紙葉２ａには、１月から３月までの暦が表示され（図１参照）、第二頁の紙葉には４月から６月までの暦が、第三頁の紙葉には７月から９月までの暦が、第四頁の紙葉には１０月から１２月までの暦が、それぞれ表示されている（図示せず）。
【００１９】
また、各紙葉２には、三本のミシン目５（第一のミシン目５ａ、第二のミシン目５ｂ、及び、第三のミシン目５ｃ）がそれぞれ形成されている。これらのうち、第一のミシン目５ａは、ヘッダ３の下縁３ａに沿って横向きに形成されており、各紙葉２における暦の表示部分を、本体から切り離すことができるようになっている。
【００２０】
第二のミシン目５ｂ、及び、第三のミシン目５ｃは、第一のミシン目５ａから紙葉２の下縁まで、縦向きに形成され、各紙葉２における暦の表示部分（第一のミシン目５ａよりも下方の部分）を、横方向へ三分割できるようになっている。
【００２１】
また、各紙葉２に表示される三ヶ月分の暦は、第二のミシン目５ｂ及び第三のミシン目５ｃによって仕切られる縦長の三つの領域に、それぞれ一ヶ月分ずつ順番に並ぶように配置されている。より詳細には、図１に示すように、綴じられた紙葉２のうち、第一頁（最も手前側に表示されている紙葉２）においては、第二のミシン目５ｂの左側の領域（左側領域Ｌ）に１月の暦が表示され、第二のミシン目５ｂと第三のミシン目５ｃとの間の領域（中間領域Ｍ）に２月の暦が表示され、第三のミシン目５ｃの右側の領域（右側領域Ｒ）に３月の暦が表示されている。
【００２２】
同様に、第二頁においては、左側領域に４月、中間領域に５月、右側領域に６月の暦がそれぞれ表示され、第三頁においては、左側領域に７月、中間領域に８月、右側領域に９月、第四頁においては、左側領域に１０月、中間領域に１１月、右側領域に１２月の暦がそれぞれ表示されている（図示せず）。
【００２３】
尚、各紙葉２の各領域に表示されている各月の暦は、日付を表す数字が縦方向へ一列に並ぶように構成されており、各日付の右側に、曜日を表す漢字、及び、予定を書き込むためのスペース（予定欄）がそれぞれ配置されている。そして、各紙葉２に表示されている三ヶ月分の暦は、日付が横方向に揃うように（各月における同一の日付の欄が、同じ高さとなるように）配置されている。つまり、１月ｎ日（ｎ：整数）の欄の右側の同じ高さ位置に、２月ｎ日の欄が配置され、更にその右側の同じ高さ位置に３月ｎ日の欄が配置されている。
【００２４】
このような、各月間における日付の高さ位置の関係は、綴じられている複数の紙葉２の間でも共通している。つまり、第二頁の左側領域に表示されている４月ｎ日の欄は、第一頁の１月ｎ日の欄、２月ｎ日の欄、３月ｎ日の欄と同じ高さ位置に配置されている。
【００２５】
ここで、このカレンダー１の使用方法について簡単にする。まず、１月の時点においては、図１に示すように、１月〜３月が印刷されている第一頁の紙葉２ａを表示させ、１月が終了して２月に入ったら、第一のミシン目５ａのうち、１月の暦の上方に位置する部分、及び、１月の暦と２月の暦の間に形成されている第二のミシン目５ｂに沿って、１月の暦が印刷されている左側領域Ｌを、第一頁の紙葉２ａから切り離す。そうすると、図２に示すように、第二頁の紙葉２ｂの左側領域Ｌに印刷されている４月の暦が露呈し、第一頁の紙葉２ａに印刷されている２月及び３月の暦と並び、２月から４月までの三ヶ月分の暦が表示されることになる。
【００２６】
同様に、２月が終了して３月に入ったら、第一のミシン目５ａのうち、２月の暦の上方に位置する部分、及び、２月の暦と３月の暦の間に形成されている第三のミシン目５ｃに沿って、２月の暦が印刷されている中間領域Ｍを、第一頁の紙葉２ａから切り離す。そうすると、第二頁の紙葉２ｂの中間領域Ｍに印刷されている５月の暦（図示せず）が新たに露呈し、第一頁の紙葉２ａに印刷されている３月の暦と並び、３月から５月までの三ヶ月分の暦が表示されることになる。
【００２７】
このように本実施形態のカレンダー１は、月の進行に合わせ、終了した月の暦が表示されている部分をミシン目５に沿って切り離していくことにより、連続した三ヶ月分の暦を常に横並びに表示させることができる。
【００２８】
また、表示される三ヶ月分の暦は、各月の同一の日付の欄が、同じ高さとなるように配置されているため、月毎の同一の日付に実行されるべき予定を記入するような場合（例えば、毎月１０日に税金を支払う場合や、毎月２０日に定期点検を実施するような場合）において、予定を記入すべき日付の欄を月毎に探す必要がなく、記入作業を極めて容易に行うことができる。より具体的には、例えば、毎月１０日に税金を支払う場合においては、１月の暦の１０日の欄に「税金」と記入するとともに、そのまま横方向へ移動して、２月の暦と３月の暦おける同じ高さの欄に、「税金」と記入すればよい。
【００２９】
また、１月の暦が印刷されている部分を切り離して、新たに４月の暦を表示させた場合、４月の暦の予定欄が空白であったとしても、隣に表示されている２月と３月の暦の予定欄の記入内容を参照しながら、４月の予定欄への記入を行うことにより、記入漏れの問題を可及的に回避することができる。
【００３０】
尚、紙葉２の左側領域Ｌを本体から切り離した場合（或いは、左側領域Ｌと中間領域Ｍを切り離した場合）、切り離した部分の重量に応じて、カレンダー１の重心点がずれて、左右の重量が不均衡となる。このため、一般的なカレンダーのように、吊支点をヘッダ３の中央部、或いは、その直近上方の位置に設定すると、カレンダー１が傾いてしまう可能性があるが、吊支点をある程度高い位置（例えば、第一のミシン目５ａからカレンダー１の下縁までの寸法を「ｈ」としたとき、第一のミシン目５ａから上方へ０．２５ｈ以上離れた位置）に設定すれば、傾きの問題を好適に回避することができる。
【００３１】
本実施形態のカレンダー１は、吊り下げるための手段として、両端がヘッダ３の左右両肩に接続された紐４を有しており、この紐４は、その中間位置でカレンダー１を吊り下げた場合、吊支点が、第一のミシン目５ａから０．２５ｈ以上高い位置となるような長さに設定されている。
【００３２】
尚、カレンダー１を吊り下げるための手段は、紐４に限定されるものではなく、第一のミシン目５ａから０．２５ｈ以上高い位置に吊支点を設定することができるものであれば、どのような構成のものを用いてもよい。例えば、図３に示すように、ヘッダ３から上方へ突出するように取り付けられた平板状のフラップ６であって、第一のミシン目５ａから０．２５ｈ以上高い位置に係止穴７が形成されているようなものを用いることもできる。
【００３３】
また、本実施形態においては、各紙葉２にそれぞれ三ヶ月分の暦が表示されているが、第一のミシン目５ａから紙葉２の下縁まで、縦向きに形成される第四のミシン目を追加して、各紙葉２における暦の表示部分を、横方向へ四分割できるように構成し、四ヶ月分の暦が表示されるように構成してもよいし、また、第三のミシン目５ｃを省略して、各紙葉２における暦の表示部分を、横方向へ二分割できるように構成し、二ヶ月分の暦が表示されるように構成してもよい。
【符号の説明】
【００３４】
１，１１：カレンダー、
２，２ａ，２ｂ，１２：紙葉、
３，１３：ヘッダ、
３ａ，１３ａ：下縁、
４：紐、
５，１５：ミシン目、
５ａ，１５ａ：第一のミシン目、
５ｂ，１５ｂ：第二のミシン目、
５ｃ，１５ｃ：第三のミシン目、
６：フラップ、
７，１７：係止穴、
Ｌ：左側領域、
Ｍ：中間領域、
Ｒ：右側領域
【図１】
0003177577.tif 000003
【図２】
0003177577.tif 000004
【図３】
0003177577.tif 000005
【図４】
0003177577.tif 000006